【誤訳訂正書】
【提出日】平成23年1月13日(2011.1.13)
【誤訳訂正１】
【訂正対象書類名】明細書
【訂正対象項目名】特許請求の範囲
【訂正方法】変更
【訂正の内容】
【特許請求の範囲】
【請求項１】  芳香族ポリエステルの樹脂、フィルム、繊維、ヤーンまたは布帛を改質するための方法であって、
前記芳香族ポリエステルの樹脂、フィルム、繊維、ヤーンまたは布帛をシュードモナスメンドシナ由来のクチナーゼで処理して、ピリング、ピリング防止、重量、感触、外観および艶特性からなる群より選択される特性を改質することを含む、方法。
【請求項２】  前記ポリエステル繊維、ヤーンまたは布帛がテキスタイル製品であり、汚れを含まない、請求項１に記載の方法。
【請求項３】  前記ポリエステルテキスタイルが、仕上を施す前に処理される、請求項２に記載の方法。
【請求項４】  芳香族ポリエステル物品のテキスタイル特性を改善するための方法であって、
（ａ）シュードモナスメンドシナ由来のクチナーゼを得；
（ｂ）前記ポリエステル物品が、繊維、ヤーンまたは布帛を含み、当該ポリエステル物品と前記クチナーゼを接触させ；
（ｃ）前記処理された繊維、ヤーンまたは布帛をテキスタイルに組み込む；各工程を含む方法。
【請求項５】  前記処理をポリエチレングリコールまたはグリセロールの存在で行なう、請求項１に記載の方法。
【誤訳訂正２】
【訂正対象書類名】明細書
【訂正対象項目名】０００８
【訂正方法】変更
【訂正の内容】
【０００８】
ＵＳ  ５５１２２０３は、クチナーゼ酵素と、クチナーゼ適合性界面活性剤とを含む洗剤組成物を開示している。微生物酵素クチナーゼは、シュードモナスメンドシナ（Ｐｓｅｕｄｏｍｏｎａｓｍｅｎｄｏｃｉｎａ）からであり、クチンまたはクチン様の汚れを有する材料を酵素を使用して洗浄するための改良法に使用する。
【誤訳訂正３】
【訂正対象書類名】明細書
【訂正対象項目名】００１０
【訂正方法】変更
【訂正の内容】
【００１０】
ＪＰ  ５３４４８９７Ａ（Ａｍａｎｏ  Ｐｈａｒｍａｃｅｕｔｉｃａｌ  ＫＫ）は、脂肪族ポリエステルとともに溶液に溶解させ、強度を弱めることなく、繊維テキスチャーを改善する結果を有する市販のリパーゼ組成物を記載している。シュードモナスエス・ピー・ピー（Ｐｓｅｕｄｏｍｏｎａｓ  ｓｐｐ．）からリパーゼにより分解することのできる脂肪族ポリエチレンのポリマーもまた開示されている。
【誤訳訂正４】
【訂正対象書類名】明細書
【訂正対象項目名】００３７
【訂正方法】変更
【訂正の内容】
【００３７】
適したポリエステラーゼは、動物、植物、真菌および細菌源から単離することができる。植物から誘導されるポリエステラーゼの使用に関しては、ポリエステラーゼは、多くの植物の花粉に存在する。ポリエステラーゼは、また、アブシディアエス・ピー・ピー（Ａｂｓｉｄｉａ ｓｐｐ．）；アクレモニウムエス・ピー・ピー（Ａｃｒｅｍｏｎｉｕｍ ｓｐｐ．）；アガリクス エス・ピー・ピー（Ａｇａｒｉｃｕｓｓｐｐ．）；アナエロマイセス エス・ピー・ピー（Ａｎａｅｒｏｍｙｃｅｓｓｐｐ．）；アスペルギルス エス・ピー・ピー（Ａｓｐｅｒｇｉｌｌｕｓｓｐｐ．）、例えば、エイ オウキュレアツス（Ａ．ａｕｃｕｌｅａｔｕｓ）、エイアワモリ（Ａ．ａｗａｍｏｒｉ）、エイ フラバス（Ａ．ｆｕｒａｖｕｓ）、エイ フォエティダス（Ａ．ｆｏｅｔｉｄｕｓ）、エイフマリクス（Ａ．ｆｕｍａｒｉｃｕｓ）、エイ フミガツス（Ａ．ｆｕｍｉｇａｔｕｓ）、エイ ニジュランス（Ａ．ｎｉｄｕｌａｎｓ）、エイニガー（Ａ．ｎｉｇｅｒ）；エイ オリザエ（Ａ．ｏｒｙｚａｅ）、エイテレウス（Ａ．ｔｅｒｒｅｕｓ）およびエイ ベルシカラー（Ａ．ｖｅｒｓｉｃｏｌｏｒ）；オイロバシディウム エス・ピー・ピー（Ａｅｕｒｏｂａｓｉｄｉｕｍｓｐｐ．）；セファロスポラム エス・ピー・ピー（Ｃｅｐｈａｌｏｓｐｏｒｕｍｓｐｐ．）；カエトミウム エス・ピー・ピー（Ｃｈａｅｔｏｍｉｕｍｓｐｐ．）；クラドスポリウム エス・ピー・ピー（Ｃｌａｄｏｓｐｏｒｉｕｍｓｐｐ．）；コプリヌス エス・ピー・ピー（Ｃｏｐｒｉｎｕｓｓｐｐ．）；ダクチリウム エス・ピー・ピー（Ｄａｃｔｙｌｉｕｍｓｐｐ．）；フサリウム エス・ピー・ピー（Ｆｕｓａｒｉｕｍｓｐｐ．）、例えば、エフ コングロメランス（Ｆ．ｃｏｎｇｌｏｍｅｒａｎｓ）、エフデセムセルラーレ（Ｆ．ｄｅｃｅｍｃｅｌｌｕｌａｒｅ）、エフ ジャバニクム（Ｆ．ｊａｖａｎｉｃｕｍ）、エフ リニ（Ｆ．ｌｉｎｉ）、エフオキシスポラム（Ｆ．ｏｘｙｓｐｏｒｕｍ）、エフ ロゾイム（Ｆ．ｒｏｓｅｕｍ）およびエフ ソラニ（Ｆ．ｓｏｌａｎｉ）；グリオクラジウムエス・ピー・ピー（Ｇｌｉｏｃｌａｄｉｕｍ ｓｐｐ．）；ヘルミントスポルム エス・ピー・ピー（Ｈｅｌｍｉｎｔｈｏｓｐｏｒｕｍｓｐｐ．）、例えば、サティバム；ヒューミコラ エス・ピー・ピー（Ｈｕｍｉｃｏｌａ ｓｐｐ．）、例えば、エイチ・インソレンス（Ｈ．Ｉｎｓｏｌｅｎｓ）およびエイチ・ラヌギノサ（Ｈ．ｌａｎｕｇｉｎｏｓａ）；ムコールエス・ピー・ピー（Ｍｕｃｏｒ ｓｐｐ．）；ニューロスポラエス・ピー・ピー（Ｎｅｕｒｏｓｐｏｒａ ｓｐｐ．）、例えば、エヌ クラッサ（Ｎ．ｃｒａｓｓａ）およびエヌシトフィラ（Ｎ．ｓｉｔｏｐｈｉｌａ）；ネオカリマスチクス エス・ピー・ピー（Ｎｅｏｃａｌｌｉｍａｓｔｉｘ ｓｐｐ．）；オルピノマイセスエス・ピー・ピー（Ｏｒｐｉｎｏｍｙｃｅｓ ｓｐｐ．）；ペニシリウム エス・ピー・ピー（Ｐｅｎｉｃｉｌｌｉｕｍｓｐｐ．）；ファネロカエート エス・ピー・ピー（Ｐｈａｎｅｒｏｃａｅｔｅｓｐｐ．）；フェレビア エス・ピー・ピー（Ｐｈｌｅｂｉａｓｐｐ．）；ピロマイセス エス・ピー・ピー（Ｐｉｒｏｍｙｃｅｓｓｐｐ．）；シュードモナス エス・ピー・ピー（Ｐｓｅｕｄｏｍｏｎａｓ ｓｐ��．）；リゾプス エス・ピー・ピー（Ｒｈｉｚｏｐｕｓ ｓｐｐ．）；シゾフィラムエス・ピー・ピー（Ｓｃｈｉｚｏｐｈｙｌｌｕｍ ｓｐｐ．）；トラメテス エス・ピー・ピー（Ｔｒａｍｅｔｅｓｓｐｐ．）；トリコダーマ エス・ピー・ピー（Ｔｒｉｃｈｏｄｅｒｍａｓｐｐ．）、例えば、ティ レエセイ（Ｔ．ｒｅｅｓｅｉ）、ティレエセイ（Ｔ．ｒｅｅｓｅｉ）（ｌｏｎｇｉｂｒａｃｈｉａｔｕｍ）およびティ ビリデ（Ｔ．ｖｉｒｉｄｅ）；および、ウロクラジウム エス・ピー・ピー（Ｕｌｏｃｌａｄｉｕｍｓｐｐ．）、例えば、ユー コンソルチアレ（Ｕ．ｃｏｎｓｏｒｔｉａｌｅ）；ジゴリンキュスエス・ピー・ピー（Ｚｙｇｏｒｈｙｎｃｈｕｓ ｓｐｐ．）のような真菌から誘導することもできる。同様に、ポリエステラーゼは、バシラス エス・ピー・ピー（Ｂａｃｉｌｌｕｓ ｓｐｐ．）；セルロモーナスエス・ピー・ピー（Ｃｅｌｌｕｌｏｍｏｎａｓ ｓｐｐ．）；クロストリジウム エス・ピー・ピー（Ｃｌｏｓｔｒｉｄｉｕｍｓｐｐ．）；マイセリオフトラ エス・ピー・ピー（Ｍｙｃｅｌｉｏｐｈｔｈｏｒａｓｐｐ．）；シュードモナス エス・ピー・ピー（Ｐｓｅｕｄｏｍｏｎａｓ ｓｐｐ．）、例えば、ピーメンドシナ（Ｐ．ｍｅｎｄｏｃｉｎａ）およびピー プチダ（Ｐ．ｐｕｔｉｄａ）；テルモモノスポラ エス・ピー・ピー（Ｔｈｅｒｍｏｍｏｎｏｓｐｏｒａｓｐｐ．）；テルモマイセス エス・ピー・ピー（Ｔｈｅｒｍｏｍｙｃｅｓｓｐｐ．）、例えば、ティ ラヌギノサ（Ｔ．ｌａｎｕｇｉｎｏｓａ）；ストレプトマイセスエス・ピー・ピー（Ｓｔｒｅｐｔｏｍｙｃｅｓ ｓｐｐ．）、例えば、エス オリボクロモゲネス（Ｓ．ｏｌｉｖｏｃｈｒｏｍｏｇｅｎｅｓ）およびエススカビエズ（Ｓ．ｓｃａｂｉｅｓ）のような細菌において；および、フィブロバクター スキノゲネス（Ｆｉｂｒｏｂａｃｔｅｒ ｓｕｃｃｉｎｏｇｅｎｅｓ）のような繊維分解反すう（ｒｕｍｉｎａｌ）細菌において；ならびに、例えば、カンディーダエス・ピー・ピー（Ｃａｎｄｉｄａ ｓｐｐ．）、例として、シーアンタルクチカ（Ｃ．Ａｎｔａｒｃｔｉｃａ）、シー ルゴサ（Ｃ．ｒｕｇｏｓａ）；トレシー（Ｔｏｒｒｅｓｉｉ）；シー パラプシロシス（Ｃ．ｐａｒａｐｓｌｉｏｓｉｓ）、シーサケ（Ｃ．ｓａｋｅ）；シー ゾイラノイデス（Ｃ．ｚｅｙｌａｎｏｉｄｅｓ）；ピチアマイヌータ（Ｐｉｃｈｉａ ｍｉｎｕｔａ）；ロドトルーラグルチニス（Ｒｈｏｄｏｔｏｒｕｌａ ｇｌｕｔｉｎｉｓ）；アール・ムシラギノーサ（Ｒ．ｍｕｃｉｌａｇｉｎｏｓａ）；および、スポロボロマイセスホルサチクス（Ｓｐｏｒｏｂｏｌｏｍｙｃｅｓ ｈｏｌｓｔｉｃｕｓ）のような酵母において見出すことができることが予想される。
【誤訳訂正５】
【訂正対象書類名】明細書
【訂正対象項目名】００７２
【訂正方法】変更
【訂正の内容】
【００７２】
【表１】
2003514138.tif 000001
【誤訳訂正６】
【訂正対象書類名】明細書
【訂正対象項目名】００７４
【訂正方法】変更
【訂正の内容】
【００７４】
上記から理解されうるように、試験したほとんど全ての酵素は、ＤＥＴ検定における活性（ジ−エステラーゼ活性）を有する。しかし、試験した酵素の１つのみがＰＥＴ検定の両方において有意な活性を有する。この証拠より、ＤＥＴ検定において活性を有し、また、ＰＥＴ加水分解活性を有する酵素に関して交差型（ｃｒｏｓｓｏｖｅｒ）が存在するものの、ＤＥＴ加水分解活性を有するが、ポリエステラーゼ活性を有しない非常に多数の酵素が存在することが明らかである。実施例２および３において見られるように、ＰＥＴ活性を有する酵素は、ポリエステル繊維の酵素を使用する有意な変換を生ずる。このデータから、本出願人らは、ポリエステラーゼ活性を有する酵素の同定は、酵素がモノ−またはジ−エステラーゼ活性を有するか否かということからは予想できないと決定した。
【誤訳訂正７】
【訂正対象書類名】明細書
【訂正対象項目名】００７５
【訂正方法】変更
【訂正の内容】
【００７５】
実施例  ２
ポリエステルの機能性表面特性を改質するためのポリエステラーゼによる酵素を使用するポリエステル繊維の表面改質
・装置：ラウンダー−オメーター（Ｌａｕｎｄｅｒ−Ｏｍｅｔｅｒ）
・処理ｐＨ：ｐＨ８．６（５０ｍＭのＴｒｉｓ緩衝液）
・処理温度：４０℃
・処理時間：２４時間
・酵素：シュードモナスメンドシナからの４０ｐｐｍのクチナーゼ
・対照：不活性化した４０ｐｐｍのクチナーゼ（シュードモナスメンドシナ）
・基質：１００％ポリエステル−
−ＤａｃｒｏｎＲ５４（試験布帛からの形式番号７７７）
−ＤａｃｒｏｎＲ６４（試験布帛からの形式番号７６３）
観測される全ての効果がポリエステル表面の改質のみにより、付着蛋白質効果から生じないことを確認するために、見本をプロテアーゼで処理した。ポリエステラーゼ処理後、５／８インチの円板を処理した見本から切り取った。ついで、円板を５ｐｐｍのサブチリシン（ｓｕｂｔｉｌｉｓｉｎ）および０．１％の非−イオン性界面活性剤（Ｔｒｉｔｏｎ  Ｘ−１００）とインキュベートして、ポリエステル上に結合された蛋白質を除去した。結合した蛋白質のレベルは、最小の蛋白質が布帛に結合したままであることを確認するために、コオマシーブルー染色（ｃｏｏｍａｓｓｉｅ  ｂｌｕｅ  ｓｔａｉｎｉｎｇ）を使用して検討した。
【誤訳訂正８】
【訂正対象書類名】明細書
【訂正対象項目名】００８７
【訂正方法】変更
【訂正の内容】
【００８７】
（Ｄ）  ＰＴＴのクチナーゼによる加水分解
装置：ラウンダー−オメーター
処理ｐＨ：ｐＨ８．６（５０ｍＭ  Ｔｒｉｓ  緩衝液）
処理温度：４０℃
処理時間：２４時間
酵素：クチナーゼ（シュードモナスメンドシナ）４０ｐｐｍ
対照：不活性化したクチナーゼ（シュードモナスメンドシナ）４０ｐｐｍ
基質：洗浄した１００％ＣｏｒｔｅｒｒａＲブランドＰＴＴポリエステル
クチナーゼ処理後、処理した見本から５／８インチ円板を切り取った。５ｐｐｍのサブチリジンおよび０．１％の非イオン性界面活性剤（Ｔｒｉｔｏｎ  Ｘ−１００）で円板をインキュベートして、ポリエステルに結合した蛋白質を取出した。可染性における増加を図９に示す。このデータより、ポリエステラーゼがＰＴＴ基体布帛の表面特性を改質したことが明らかである。